(57)【要約】【課題】構造を簡素化した照明付きの車両用カップホルダを提供する。【解決手段】カップホルダ１は、周壁１１を有して、その上下方向が開口する筒状のホルダ本体１０と、周壁１１の下部に設置され、ホルダ本体１０の下側開口１２を閉じる底板２０と、底板２０の裏側に配置された発光装置３０と、を備える。底板２０が発光装置３０から入射された光６を所望箇所に導く導光板として提供されている。底板２０には、下側開口１２の開口縁１２ａに沿って、底板２０内を導かれた光６をホルダ本体内に放出する発光部２４が設けられている。【選択図】  図５
2020163972.tif 000002
【特許請求の範囲】
【請求項１】
周壁を有するとともに、上下に開口を有するホルダ本体と、
上記周壁の下部に設置され、上記ホルダ本体の下側開口を閉じる底板と、
この底板の裏側に配置された発光装置と、を備え、
上記底板が上記発光装置からの光を所望箇所に導く導光板として提供されていることを特徴とする車両用カップホルダ。
【請求項２】
上記底板には、上記下側開口の開口縁に沿って、上記底板内を導かれた光をホルダ本体内に放出する発光部が設けられていることを特徴とする請求項１に記載の車両用カップホルダ。
【発明の詳細な説明】
【技術分野】
【０００１】
本発明は、車両の室内に装備されて、ペットボトル等の飲料容器を収容して保持するカップホルダに関する。
【背景技術】
【０００２】
一般に、自動車等の車両の室内には、センターコンソール等に飲料容器を収容して保持するカップホルダが設けられている。
下記特許文献１に開示されているカップホルダは、底壁と周壁を有して飲料容器を収容保持可能な有底容器状のホルダ本体を備え、ホルダ本体の上方から飲料容器が挿し入れられるようになっている。底壁の裏側には、ホルダ本体内に光をあてて明るくするための発光装置が設けられており、底壁には発光装置からの光を通すための貫通孔が形成されている。底壁の上面には、底壁全体を覆うように導光板が設置されている。導光板は、その上面に下方から入射した光を導光板内に反射させる反射部を有するとともに、底壁周縁部に沿う部位に発光部を有している。導光板の上面には、発光部を除いて導光板を覆う遮光部材が設けられている。発光装置からの光は、底壁の貫通孔を介して導光板に入射して反射部で反射され、発光部に導かれて放出されホルダ本体内を照らしている。
【先行技術文献】
【特許文献】
【０００３】
【特許文献１】特開２０１５−２２９４５５号公報
【発明の概要】
【発明が解決しようとする課題】
【０００４】
上記カップホルダにおいては、ホルダ本体は有底容器状をなし、底壁の上面に導光板が設置されていた。そのため、カップホルダの底部が重層的で重厚に形成されていた。また、ホルダ本体の底壁に、発光装置からの光を通すための貫通孔を形成する必要があり、この貫通孔は、導光板の反射部と位置を合致させる必要があった。
【課題を解決するための手段】
【０００５】
上記課題の少なくとも１つを解決するために、本発明の車両用カップホルダは、周壁を有するとともに、上下に開口を有するホルダ本体と、上記周壁の下部に設置され、上記ホルダ本体の下側開口を閉じる底板と、この底板の裏側に配置された発光装置と、を備え、上記底板が上記発光装置からの光を所望箇所に導く導光板として提供されていることを特徴とする。
【０００６】
上記構成によれば、ホルダ本体の上下に開口を設け、その下側開口を閉じる底板が導光板を兼ねることにより、構造を簡素化して製造を容易にした照明付きの車両用カップホルダを提供することができる。
【０００７】
好ましくは、上記底板には、上記下側開口の開口縁に沿って、上記底板内を導かれた光をホルダ本体内に放出する発光部が設けられている。
上記構成によれば、発光部は、下側開口の開口縁に沿って設けられることにより、収容される飲料容器を避けることができる。発光部から放出された光は、ホルダ本体の周壁を照らして下側の開口縁を際立たせるとともに、収容された飲料容器を照らし顕示する。これにより、夜間等車室内が非常に暗い場合でも、カップホルダの配設位置及びカップホルダ内の飲料容器の視認性を高めることができる。また、カップホルダの装飾的効果を高めることができる。
【発明の効果】
【０００８】
本発明によれば、構造を簡素化した照明付きの車両用カップホルダを提供することができる。
【図面の簡単な説明】
【０００９】
【図１】本発明の第１実施形態に係る車両用カップホルダが設けられたセンターコンソールの斜視図である。
【図２】同センターコンソールのカップホルダを拡大して示す平面図である。
【図３】同カップホルダの分解斜視図である。
【図４】図２のIV−IV線に沿う拡大断面図である。
【図５】図２のV−V線に沿う要部拡大断面図である。
【図６】図２のVI−VI線に沿う要部拡大断面図である。
【図７】本発明の第２実施形態に係る車両用カップホルダのホルダ本体の底面図である。
【発明を実施するための形態】
【００１０】
［第１実施形態］
以下、本発明の第１実施形態をなす車両用カップホルダについて、図１〜図６を参照して説明する。
図１、図２に示すように、カップホルダ１は、自動車における運転席と助手席を隔てるセンターコンソール２に設けられている。図３に示すように、カップホルダ１は、ホルダ本体１０と、底板２０と、発光装置３０と、遮蔽板４０と、パーティション５０とを備えている。
【００１１】
図３に示すように、ホルダ本体１０は、上下方向が開口する周壁１１を有し、筒状をなしている。周壁１１は横断面が略角丸長方形状をなしており、その長辺をなす一対の壁部の中央部間には、下側開口１２を跨ぐように架橋部１３が設けられるとともに、図２に示すように、パーティション５０が配置され、ホルダ本体１０内を２分割している。これにより、ホルダ本体１０内には、２つの容器収容空間１４，１４が形成されている。
【００１２】
図２、図３に示すように、パーティション５０は、ホルダ本体１０内の飲料容器３を押圧して保持する２枚のフラップ５１と、容器収容空間１４，１４に面する一対の立壁５２，５２を有している。これら立壁５２は互いに対向するとともに上部で連なっている。図３に示すように、各立壁５２の両側部の下部には、向かい合う立壁５２に向かって突出する嵌合突起５３が設けられている。この嵌合突起５３が、ホルダ本体１０の周壁１１の長辺部分の下部に設けられた嵌合凹部１１ａに嵌合することにより、パーティション５０はホルダ本体１０に取り付けられている。この取付け状態のとき、図４に示すように、パーティション５０は、その真下に配置されている上記架橋部１３を上方から隠すようになっている。
【００１３】
パーティション５０の各立壁５２の中央部には、矩形のフラップ収容部５２ａが形成され、フラップ５１の少なくとも一部が収容されるようになっている。フラップ収容部５２ａの上部において、フラップ５１は、ホルダ本体１０の短手方向に延びる回動軸線を中心に回動可能に支持され、コイルばね５４により突出方向に付勢されている。
【００１４】
底板２０は、ホルダ本体１０内に収容された飲料容器３を支持する底部としての機能と、発光装置３０から入射された光６を所望箇所に導く導光板としての機能とを果たすものである。
底板２０は、周壁１１の下部に設置され、ホルダ本体１０の下側開口１２を閉じている。底板２０は、下側開口１２より小さく相似する平面形状を有している。底板２０には、光透過性を有する導光樹脂材料、例えば、アクリルやポリカーボネートなどが用いられる。この実施形態の底板２０は、無色透明である。
【００１５】
底板２０の下面には、複数の係止爪２１が設けられている。この実施形態では、一方の
容器収容空間１４の側に２つ、他方の側に３つ設けられている。これら係止爪２１に対応して、上記ホルダ本体１０の周壁１１の下部には複数の係止部１５が下側開口１２内に突出するように設けられている。各係止部１５には、係止穴１５ａが形成されている。各係止爪２１が各係止穴１５ａに係止されることにより、底板２０はホルダ本体１０に取り付けられている。これにより、カップホルダ１は、収容物を支持する底部を有し、各容器収容空間１４で飲料容器３を収容可能となる。
【００１６】
図４〜図６に示すように、底板２０は下側開口１２よりわずかに小さいため、底板２０の外周縁と周壁１１との間には全周にわたって隙間４が形成される。この隙間４はカップホルダ１の排液経路として提供される。底板２０の上面（表側の面）は、その外周縁に向かって低くなる勾配を有している。
【００１７】
図３、図４に示すように、一方の容器収容空間１４側における底板２０の下面には、発光装置３０を保持するための一対の保持板部２２，２２が設けられている。保持板部２２，２２は、底板２０の外周縁から離れて配置されており、それぞれ係止穴２２ａを有している。これら保持板部２２，２２の係止穴２２ａ，２２ａに、発光装置３０の両側壁面に設けられた係止爪３０ａ，３０ａがそれぞれ係止されることにより、発光装置３０が底板２０に取り付けられている。発光装置３０の光源３１には、電球やＬＥＤ（発光ダイオード）などが用いられる。光源３１として必要に応じて所望の発光色を有するものを採用してもよい。尚、発光装置３０は、この実施形態では図４に示すように、センターコンソール２内に設けられたダクト５を避けるため、底板２０の中心からずらして配置されているが、底板２０の外周縁から離れている限り、いかなる配置であってもよい。
【００１８】
図４、図５に示すように、底板２０の下面における上記一対の保持板部２２，２２の間の位置には、入射部２５が設けられている。この入射部２５として、底板２０の下面から下方に向かうにつれ先が細くなる円錐台形状の下底面が提供されている。入射部２５は、上記発光装置３０の光源３１と対向し、その光６を底板２０内に入射させる。入射部２５の真上の位置における底板２０の上面には、反射部２３が設けられている。反射部２３は、光源３１から入射された光６を底板２０内に拡散反射させている。この実施形態の反射部２３は、底板２０の上面にすり鉢状の窪みを形成したものである。尚、反射部２３として、底板２０の上面に、表面が微視的に平坦ではなくこの表面に当たった光をあらゆる方向に拡散させる樹脂製フィルムを張り付けてもよく、底板２０の上面にブラスト処理等の粗面化処理を施してもよい。
【００１９】
底板２０の外周縁部の上面は、発光部２４となっている。発光部２４は、図３に示すホルダ本体１０の下側開口１２の開口縁１２ａに沿って配置されており、図４に示すように、カップホルダ１内に収容される飲料容器３の底が被らないようになっている。発光部２４は、上記反射部２３により拡散反射されて底板２０内を伝播した光６を底板２０の外部に放出させる。発光部２４の表面には、シボ処理等により細かい凹凸が形成されている。これにより、底板２０内を伝播する光６の一部が散乱され均一化されて発光部２４の表面よりホルダ本体１０内に放出され、発光部２４の表面に発光が生じる。この実施形態では、発光部２４は、底板２０の他の部位より高く形成されているが、同じ高さに形成してもよく、低く形成してもよい。
【００２０】
遮蔽板４０は、底板２０の上部に、上記発光部２４を除いて底板２０を覆うように設けられている。遮蔽板４０は、ゴム等によって形成され、弾性と遮光性を有している。遮蔽板４０は、底板２０の上面を保護するとともに、底板２０内を伝播する光６が発光部２４以外の底板２０の上面から外部に放出されることを防止している。図２、図３に示すように、遮蔽板４０の外周縁部の上面には、平面視における長辺部分を除き、隆起部４１が設けられている。
【００２１】
上述した構成のカップホルダ１では、ホルダ本体１０の周壁１１と、周壁１１の下部に設置された底板２０と、パーティション５０のフラップ５１とにより、上方から挿し入れられた飲料容器３を収容して保持することができる。
【００２２】
図４、図５に示すように、発光装置３０を点灯させると、光源３１の光６は、入射部２５から底板２０内に入射して反射部２３に当たり底板２０内に拡散反射され、底板２０の表裏の面に対して反射を繰り返しながら伝播する。底板２０内をその外周縁部に向かって導かれた光６は、発光部２４からカップホルダ１内に放出される。これにより、発光部２４が発光し、ホルダ本体１０の周壁１１を照らして下側開口１２の開口縁１２ａを際立たせる。また、ホルダ本体１０内に収容された飲料容器３を照らして顕示させる。したがって、夜間等車室内が非常に暗い場合でも、カップホルダ１の配設位置及びその内部に収容された飲料容器３の視認性を高めることができる。また、カップホルダ１の装飾的効果を高めることができる。
【００２３】
上記カップホルダ１内に収容された飲料容器３において、その外面に結露した水滴が流れ落ちたり、走行中の振動やその他の要因により飲料がカップホルダ１内にこぼれたりする場合がある。このとき、水滴や飲料等の液体７（図6にのみ示す）は、底板２０の上面に形成された外周縁に向かって低くなる勾配により、遮蔽板４０上をホルダ本体１０の周壁１１に向かって流れ、図６に示すように、底板２０と周壁１１との間の隙間４（排液経路）からカップホルダ１の下方に排出される。これにより、カップホルダ１内に液体７が溜まることを防止できる。底板２０の上面の勾配により、カップホルダ１の排液性が高められている。
【００２４】
発光部２４に液体７が流れ込んでも、隣接する隙間４（排液経路）から排出されるので、照明効果は妨げられない。尚、遮蔽板４０上において、液体７は、隆起部４１のない平面視における長辺部分から主に排出されることになるので、２つの容器収容空間１４，１４における発光部２４には、液体７が流れ込みにくくなっている。また、発光装置３０は、隙間４（排液経路）のある底板２０の外周縁から離れて設置されているので、隙間４から液体７が排出されたとしても、被水したり、被水により故障したりすることを防ぐことができる。
【００２５】
上記実施形態によれば、照明付きのカップホルダ１において、ホルダ本体１０が底壁を廃して筒状に形成され、その下側開口１２を閉じる底板２０が導光板を兼ねることにより、構造が簡素化され、ひいては製造を容易化できる。また、底壁を廃したホルダ本体１０に別体の底板を設置してカップホルダに排液経路を設けることにより、カップホルダ内でのこぼれた飲料等の液体の滞留を防止できる。
【００２６】
［第２実施形態］
図７は、本発明の第２実施形態を示す。この実施形態では、底板２０をホルダ本体１０に取り付けるための係止部１５を、周壁１１だけでなくパーティション５０の下方にある架橋部１３にも配置している。
【００２７】
図７は、ホルダ本体１０の底面図である。カップホルダ１の態様によっては、周壁１１の下部において、機能上必要な構造物を設けなければならなかったり、周囲に他の部品が存在したりして、係止部１５の設置スペースに制約を受け係止部１５の設置位置を確保できない場合がある。その場合、本実施形態では、架橋部１３に係止部１５を設けることにより対応している。
【００２８】
架橋部１３は、第１実施形態と比べ、やや幅を広くして形成されているが、パーティション５０をホルダ本体１０に取り付けた場合に、パーティション５０に隠れる程度の大きさに形成されている。
【００２９】
架橋部１３における一方の容器収容空間１４に面した側（図７において左側）には、２つの係止部１５が離間して設けられ、それぞれ周壁１１に近接して配置されている。架橋部１３における他方の容器収容空間１４に面した側（図７において右側）には、１つの係止部１５が周壁１１から離れた位置に設けられている。架橋部１３の短手方向から見たとき、架橋部１３の長手方向において、一方の側の２つの係止部１５，１５の間に他方の側の１つの係止部１５が位置している。
【００３０】
ホルダ本体１０の長手方向一端側（図７において左側）の周壁１１下部の円弧部分には、２つの係止部１５，１５が設けられており、他端側（図７において右側）の円弧部分にも２つの係止部１５，１５が設けられている。したがって、係止部１５は、一方の容器収容空間１４の側に４つ、他方の容器収容空間１４の側に３つ設けられており、それぞれ下側開口１２内に突出している。底板２０の下面（図示しない）には、これらの係止部１５の係止爪１５ａに対応した位置に、係止爪２１が設けられている。
【００３１】
上記実施形態によれば、底板２０の取付けに用いられる係止部１５を設置するスペースに制約がある場合においても、架橋部１３に係止部１５を設けることにより、底板２０のホルダ本体１０への取付けを可能にしている。
【００３２】
なお、この発明は、上記実施形態に限定されるものではなく、その要旨を逸脱しない範囲において適宜変更可能である。
上記実施形態では、発光部を底板の外周縁部に設けたが、底板の任意の場所に設けてもよい。
上記実施形態では、底板と遮蔽板とは別部材で形成したが、二色成形によって一体に成形してもよい。
上記実施形態では、発光部の表面にシボ処理等により細かい凹凸を形成したが、この凹凸とともに又はこの凹凸に代え、発光部に対応する底板の裏面に、光反射性のインクを用いた印刷、塗料の塗布、ペンによるマーキング、蒸着、スパッタリング、光反射率の高いテープやフィルムの貼着等を利用してもよく、ブラスト処理、エッチング、放電加工等の粗面化処理を用いてもよい。また、底板の裏側外周の角部に面取りを形成し、光を上方へ向けて案内するようにしてもよい。
下側開口を跨ぐ架橋部は設けなくてもよい。
上記実施形態では、底板の周縁とホルダ本体の周壁との間の隙間（排液経路）は、全周にわたって形成されているが、間欠的に形成されてもよい。
発光装置は、底板の外周縁の隙間（排液経路）から離れて配置されるが、配置場所によっては、被水を避けるために発光装置の周囲をパッキンで覆ってもよい。
遮蔽板には、隆起部を設けなくてもよい。
【産業上の利用可能性】
【００３３】
本発明は、車両の室内に装備されて、飲料容器を収容して保持するカップホルダに適用することができる。
【符号の説明】
【００３４】
１    カップホルダ
２    センターコンソール
３    飲料容器
４    隙間（排液経路）
７    液体
１０  ホルダ本体
１１  周壁
１１ａ  嵌合凹部
１２  下側開口
１２ａ  開口縁
１３  架橋部
１４  容器収容空間
１５  係止部
１５ａ  係止穴
２０  底板
２１  係止爪
２２  保持板部
２３  反射部
２４  発光部
２５  入射部
３０  発光装置
３１  光源
４０  遮蔽板
４１  隆起部
５０  パーティション
５１  フラップ
５３  嵌合突起
【図１】
2020163972.tif 000003
【図２】
2020163972.tif 000004
【図３】
2020163972.tif 000005
【図４】
2020163972.tif 000006
【図５】
2020163972.tif 000007
【図６】
2020163972.tif 000008
【図７】
2020163972.tif 000009